(57)【要約】【課題】  液処理装置の見栄えを向上させると共に、この液処理装置の組み立て作業が容易にできるようにする。【解決手段】  液処理装置１は、処理対象となる原液２を貯留する貯留容器２５と、原液２の液面３３に浮いた固形油脂分９を貯留容器２５から除去する除去装置４０とを備える。貯留容器２５と除去装置４０とをそれぞれ出し入れ可能に収容するハウジング２０を設ける。このハウジング２０に収容された貯留容器２５と除去装置４０とをハウジング２０に支持具２４により着脱可能に支持させる。【選択図】  図１
2006144485.tif 000002
【特許請求の範囲】
【請求項１】
処理対象となる原液を貯留する貯留容器と、上記原液の液面に浮いた固形油脂分を上記貯留容器から除去する除去装置とを備えた液処理装置において、
上記貯留容器と除去装置とをそれぞれ出し入れ可能に収容するハウジングを設け、このハウジングに収容された上記貯留容器と除去装置とを上記ハウジングに支持具により着脱可能に支持させたことを特徴とする液処理装置。
【請求項２】
上記貯留容器に対し上記除去装置を着脱可能に支持させたことを特徴とする請求項１に記載の液処理装置。
【請求項３】
上記支持具が、上記ハウジングに取り付けられて上記貯留容器を載置させるブラケットと、このブラケットに対し上記貯留容器を着脱可能に固定させる固定具とを備えたことを特徴とする請求項１に記載の液処理装置。
【請求項４】
上記貯留容器に隣接するよう配置され、この貯留容器から除去された固形油脂分を落下させる排出ダクトを設け、この排出ダクトを上記貯留容器に対し着脱可能に取り付けたことを特徴とする請求項１に記載の液処理装置。
【請求項５】
上記排出ダクトの下方に上記固形油脂分を収容する容器を設け、上記ハウジングの側壁に開口を形成し、この開口を通し上記ハウジングに対し上記容器を出し入れ可能とし、上記ハウジングの外部から上記開口を通し上記固定具への操作を可能としたことを特徴とする請求項１に記載の液処理装置。
【発明の詳細な説明】
【技術分野】
【０００１】
本発明は、例えば、レストランの厨房などから排出された原液から固形油脂分（ラード（ｌａｒｄ）油など）を除去処理するなどの液処理を可能とする液処理装置に関するものである。
【背景技術】
【０００２】
上記液処理装置には、従来、下記特許文献１に示されるものがある。この出願のものによれば、上記液処理装置は、処理対象となる原液を貯留する貯留容器と、この貯留容器の下方に設置されて、この貯留容器内に原液を供給する液体ポンプと、上記原液の液面に浮いた固形油脂分を上記貯留容器から除去する除去装置と、上記液体ポンプをその外方から覆うケーシングとを備えている。
【０００３】
上記貯留容器とケーシングとのそれぞれ壁部分は、壁板材により一体的に形成され、上記貯留容器の底板材の各外縁部は、上記壁板材における縦方向の中途部の内面に溶接されている。
【０００４】
そして、上記除去装置により貯留容器から除去された固形油脂分は焼却など処理される。一方、上記固形油脂分が除去された原液は、再利用され、もしくは下水道に排水されるなど処理される。
【０００５】
【特許文献１】特願２００４−１０９２５３号明細書および図面
【発明の開示】
【発明が解決しようとする課題】
【０００６】
ところで、上記したように、壁板材の中途部の内面に上記底板材を溶接すると、この溶接ビードに対応する上記壁板材の中途部の外面に線状の溶接歪が生じる。そして、この溶接歪は、上記液処理装置の見栄えを低下させるものであって、好ましくない。
【０００７】
また、上記壁板材の中途部の内面に貯留容器の底板材を溶接する作業は、上記壁板材の内側の空間を利用してなされる。しかし、この空間は狭いものであり、このため、上記溶接作業は煩雑になりがちである。つまり、上記液処理装置の組み立て作業が煩雑になりがちである。
【０００８】
また、上記構成において、貯留容器と除去装置とが互いに一体的に形成された場合には、これら貯留容器と除去装置とのうち、いずれか一方の保守点検作業をするとき、他方が邪魔になって、上記保守点検作業が煩雑になるおそれが生じる。
【課題を解決するための手段】
【０００９】
本発明は、上記のような事情に注目してなされたもので、本発明の目的は、液処理装置の見栄えを向上させると共に、この液処理装置の組み立て作業が容易にできるようにすることである。
【００１０】
また、本発明の他の目的は、上記液処理装置の保守点検作業が容易にできるようにすることである。
【００１１】
請求項１の発明は、処理対象となる原液２を貯留する貯留容器２５と、上記原液２の液面３３に浮いた固形油脂分９を上記貯留容器２５から除去する除去装置４０とを備えた液処理装置において、
上記貯留容器２５と除去装置４０とをそれぞれ出し入れ可能に収容するハウジング２０を設け、このハウジング２０に収容された上記貯留容器２５と除去装置４０とを上記ハウジング２０に支持具２４により着脱可能に支持させたものである。
【００１２】
請求項２の発明は、請求項１の発明に加えて、上記貯留容器２５に対し上記除去装置４０を着脱可能に支持させたものである。
【００１３】
請求項３の発明は、請求項１の発明に加えて、上記支持具２４が、上記ハウジング２０に取り付けられて上記貯留容器２５を載置させるブラケット２４ａと、このブラケット２４ａに対し上記貯留容器２５を着脱可能に固定させる固定具２４ｃとを備えたものである。
【００１４】
請求項４の発明は、請求項１の発明に加えて、上記貯留容器２５に隣接するよう配置され、この貯留容器２５から除去された固形油脂分９を落下させる排出ダクト６０を設け、この排出ダクト６０を上記貯留容器２５に対し着脱可能に取り付けたものである。
【００１５】
請求項５の発明は、請求項１の発明に加えて、上記排出ダクト６０の下方に上記固形油脂分９を収容する容器６２を設け、上記ハウジング２０の側壁に開口７１を形成し、この開口７１を通し上記ハウジング２０に対し上記容器６２を出し入れ可能とし、上記ハウジング２０の外部から上記開口７１を通し上記固定具２４ｃへの操作を可能としたものである。
【００１６】
なお、この項において、上記各用語に付記した符号は、本発明の技術的範囲を後述の「実施例」の項や図面の内容に限定解釈するものではない。
【発明の効果】
【００１７】
本発明による効果は、次の如くである。
【００１８】
請求項１の発明は、処理対象となる原液を貯留する貯留容器と、上記原液の液面に浮いた固形油脂分を上記貯留容器から除去する除去装置とを備えた液処理装置において、
上記貯留容器と除去装置とをそれぞれ出し入れ可能に収容するハウジングを設け、このハウジングに収容された上記貯留容器と除去装置とを上記ハウジングに支持具により着脱可能に支持させている。
【００１９】
このため、上記貯留容器や除去装置は上記ハウジングにおける縦方向の中途部に溶接されることなく、このハウジングに支持される。よって、このハウジングの中途部の外面に溶接歪が生じることは防止される。この結果、液処理装置の見栄えが向上する。
【００２０】
また、上記液処理装置の組み立て作業をする場合には、まず、上記ハウジングの外部の広い作業空間で上記貯留容器と除去装置とをそれぞれ形成する。次に、これら貯留容器と除去装置とをそれぞれ上記ハウジングに挿入し、上記支持具により上記ハウジングに支持させればよい。このため、上記ハウジングにおける狭い内部空間で、このハウジングの内面に貯留容器や除去装置を溶接する、という煩雑な作業は不要である。よって、液処理装置の組み立て作業は容易にできる。
【００２１】
しかも、上記貯留容器は、上記した広い作業空間で、この貯留容器の外部からの溶接作業により成形することができる。このため、この貯留容器には、液洩れなどの不良品の発生が、より確実に防止される。また、上記ハウジングと貯留容器とを一体的に形成することに比べて上記貯留容器は小形にできる。このため、上記貯留容器についての液洩れ検査も容易にできる。
【００２２】
更に、上記ハウジングに対し貯留容器と除去装置とを出し入れ可能としたため、上記ハウジングからの取り出しにより、上記貯留容器や除去装置に対する保守点検作業も容易にできる。
【００２３】
請求項２の発明は、上記貯留容器に対し上記除去装置を着脱可能に支持させている。
【００２４】
このため、上記貯留容器と除去装置に対する保守点検作業時には、これらを互いに離脱させた状態ですることができる。よって、上記貯留容器と除去装置とのうち、いずれか一方の保守点検作業をするとき、他方が邪魔になる、ということは防止されて、上記保守点検作業が容易にできる。
【００２５】
請求項３の発明は、上記支持具が、上記ハウジングに取り付けられて上記貯留容器を載置させるブラケットと、このブラケットに対し上記貯留容器を着脱可能に固定させる固定具とを備えている。
【００２６】
このため、液処理装置の組み立て作業において、上記ハウジングに貯留容器を組み付ける時には、この貯留容器を、まず、上記ハウジングに挿入して、上記ブラケット上に載置させる。次に、このブラケットに上記貯留容器を固定具により固定させればよい。つまり、上記組み立て作業には、上記ハウジングに挿入した貯留容器を上記ブラケット上に、一旦、仮置きできる。よって、上記貯留容器の組み付け作業が容易にでき、その分、液処理装置の組み立て作業がより容易にできる。
【００２７】
請求項４の発明は、上記貯留容器に隣接するよう配置され、この貯留容器から除去された固形油脂分を落下させる排出ダクトを設け、この排出ダクトを上記貯留容器に対し着脱可能に取り付けている。
【００２８】
ここで、上記貯留容器と排出ダクトとは互いに隣接している。このため、これらを一体的に形成しようとすると、これら貯留容器と排出ダクトとの間の狭い作業空間を利用して溶接などの作業をする必要があり、これは煩雑である。
【００２９】
しかし、上記のように構成したため、貯留容器と排出ダクトとをそれぞれ個別に広い作業空間で形成し、その後、これらを互いに組み付ければよい。よって、液処理装置の組み立て作業が更に容易にできる。
【００３０】
請求項５の発明は、上記排出ダクトの下方に上記固形油脂分を収容する容器を設け、上記ハウジングの側壁に開口を形成し、この開口を通し上記ハウジングに対し上記容器を出し入れ可能とし、上記ハウジングの外部から上記開口を通し上記固定具への操作を可能としている。
【００３１】
このため、上記ハウジングに対し上記固定具により上記貯留容器を組み付けたり、離脱させたりする作業は、上記開口を利用することによりできる。よって、上記作業のための空間を別途に設けないで足りる分、上記液処理装置の成形が容易にでき、かつ、この液処理装置をコンパクトに成形できる。
【発明を実施するための最良の形態】
【００３２】
本発明の液処理装置に関し、液処理装置の見栄えを向上させると共に、この液処理装置の組み立て作業が容易にできるようにする、という目的を実現するため、本発明を実施するための最良の形態は、次の如くである。
【００３３】
即ち、液処理装置は、処理対象となる原液を貯留する貯留容器と、上記原液の液面に浮いた固形油脂分を上記貯留容器から除去する除去装置とを備えている。上記貯留容器と除去装置とをそれぞれ出し入れ可能に収容するハウジングが設けられる。このハウジングに収容された上記貯留容器と除去装置とが上記ハウジングに支持具により着脱可能に支持されている。
【実施例】
【００３４】
本発明をより詳細に説明するために、その実施例を添付の図に従って説明する。
【００３５】
図２において、符号１は液処理装置である。また、説明の便宜上、矢印Ｆｒの方向を前方として以下説明する。
【００３６】
上記液処理装置１は厨房から排出される原液２を処理するためのものである。この原液２は、水、食品塊などの固形物、動物のラード油、および、その他の食品油などを含んでいる。
【００３７】
上記液処理装置１は、この液処理装置１の処理対象となる原液２を貯留する貯留槽３と、この貯留槽３内に設置され、原液２を吸入する一方、吐出可能とする液体ポンプ４と、上記原液２を処理可能とする処理槽５と、上記液体ポンプ４から吐出された原液２を上記処理槽５に導入させる導入パイプ６と、上記処理槽５で処理された処理液７を上記貯留槽３に戻す戻しパイプ８とを備えている。
【００３８】
上記ラード油は、上記貯留槽３において常温で固化するものであり、これが固化すると、他の固化した油脂分と共に、固形油脂分９として上記原液２の液面１０に浮くこととなる。
【００３９】
上記貯留槽３はグリース阻集器といわれるもので、この貯留槽３にはフィルター１２を通して原液２が導入される。上記貯留槽３に貯留された原液２の液面１０が所定高さに達したとき、上記固形油脂分９を含まない原液２を下水道側に排出させる排水通路１３が形成されている。この排水通路１３を通しての原液２の排出により、上記液面１０が上記所定高さ以上になることは防止される。
【００４０】
上記液体ポンプ４は電動駆動の遠心式とされている。上記液体ポンプ４は、貯留槽３の原液２に没入されるケーシング１６と、このケーシング１６内に収容され電動機により駆動される遠心式のインペラ１７とを備えている。上記のように液体ポンプ４は遠心式であるため、この液体ポンプ４、導入パイプ６、戻しパイプ８の各通路には逆止弁は存在しない。
【００４１】
上記液体ポンプ４の吸入部に連結され、上記貯留槽３の原液２の液面１０における固形油脂分を主に上記液体ポンプ４に吸入させる吸入規制体１８が設けられている。この吸入規制体１８は、公知のもので、上記液体ポンプ４側に吸入パイプにより固定される椀形状の基部と、この基部に支持されて上下に伸縮可能とされる蛇腹状筒体と、この筒体の内側の上端部に取り付けられるフロートとを備えている。一方、上記液体ポンプ４の吐出部は上記導入パイプ６に連結されている。
【００４２】
全図において、上記処理槽５は、その外殻を構成するハウジング２０を備えている。このハウジング２０は、その周壁を構成するハウジング本体２１と、このハウジング本体２１の下端開口を閉じる底板２２と、上記ハウジング本体２１の上端開口を開閉可能に閉じる蓋体２３と、この蓋体２３に取り付けられる左右一対の取っ手２３ａとを備えている。
【００４３】
上記処理槽５は、上記原液２を貯留可能とする貯留容器２５を備えている。この貯留容器２５は、上記ハウジング２０の上部内に、その上端開口を通し出し入れ可能に収容されている。上記ハウジング２０に収容された貯留容器２５は、上記ハウジング２０に支持具２４により着脱可能に支持されている。また、上記貯留容器２５は、上方に向かって開口している。
【００４４】
上記支持具２４は、上記ハウジング２０の幅方向に延び、ハウジング本体２１の左右側板に架設状に取り付けられる前後一対のブラケット２４ａと、上記ハウジング２０の幅方向に延び、上記貯留容器２５の下面に取り付けられる前後一対の脚部２４ｂとを備えている。上記各ブラケット２４ａは、上方に向かって開口するチャンネル形状とされている。これらブラケット２４ａに対し、その上方から各脚部２４ｂが嵌脱可能に嵌入されている。これら脚部２４ｂを介し、上記貯留容器２５が上記各ブラケット２４ａ上に載置されている。また、上記各ブラケット２４ａに対する各脚部２４ｂの嵌入で、上記ハウジング２０に対し、上記貯留容器２５が所定位置に位置決めされる。
【００４５】
また、上記支持具２４は、上記各ブラケット２４ａに対し、上記貯留容器２５を着脱可能に固定させる固定具２４ｃを備えている。この固定具２４ｃは、上記各ブラケット２４ａに上記各脚部２４ｂを着脱可能に締結させる蝶ネジ形状の締結具とされている。
【００４６】
上記貯留容器２５内において大部分を占める一部内部２６に開口する原液２の導入口２７が形成される。この導入口２７は上記導入パイプ６の下流端部に形成されている。また、上記導入口２７は、上記貯留容器２５の底面２８に形成されている。上記貯留容器２５の外部に位置する上記液体ポンプ４により、上記貯留槽３から揚液された原液２が上記導入口２７を通し上記貯留容器２５の一部内部２６に導入可能とされている。上記貯留容器２５の底面２８は、良好な水切りが得られるよう、上記導入口２７に向かって全体的に下傾させられている。上記液体ポンプ４の停止状態では、上記貯留容器２５内の原液２は、上記導入口２７、導入パイプ６、および液体ポンプ４を通し、上記貯留槽３まで自然流下可能とされている。
【００４７】
上記導入パイプ６は、上記液体ポンプ４の吐出部から上方に向かって延出する金属製の上流側パイプ６ａと、この上流側パイプ６ａの延出端部から上記処理槽５に向かって延出する可撓性の中間ホース６ｂと、上記貯留容器２５の底面２８から下方に向かって延出する金属（ステンレス）製の下流側パイプ６ｃと、上記ハウジング本体２１の下部の貫通孔を通して上記中間ホース６ｂと下流側パイプ６ｃの各延出端部を互いに連結させる連結管６ｄとを備えている。上記下流側パイプ６ｃの下流端（上端）は、上記貯留容器２５の底面２８部に溶接により結合されている。また、上記下流側パイプ６ｃの延出端部に対し、上記連結管６ｄが着脱可能に連結されている。
【００４８】
上記貯留容器２５の他部内部３０に上記戻しパイプ８の上流端部が配置されている。この戻しパイプ８の上流端部は、上記貯留容器２５の底部から上方に向かって突出し、その突出端部が原液２の排出口３１とされ、この排出口３１は、上記貯留容器２５の他部内部３０の上部側に配置されている。上記戻しパイプ８の突出端部の上端高さはソケット３２のねじ込みにより調整可能とされている。この高さ調整により、上記貯留容器２５における原液２の液面３３の高さが定められる。
【００４９】
上記戻しパイプ８は、上記貯留容器２５の底面２８部から下方に向かって延出する金属（ステンレス）製の第１上流側パイプ８ａと、この第１上流側パイプ８ａの上端部から上方に向かって延出し、その上端部が上記排出口３１とされる金属（ステンレス）製の第２上流側パイプ８ｂと、上記液体ポンプ４の吸入部から上方に向かって延出する金属製の下流側パイプ８ｃと、この下流側パイプ８ｃの延出端部から上記貯留槽３に向かって延出する可撓性の中間ホース８ｄとを備えている。また、上記戻しパイプ８は、上記ハウジング本体２１の下部の貫通孔を通して上記第１上流側パイプ８ａと中間ホース８ｄの各延出端部を互いに連結させる連結管８ｅとを備えている。
【００５０】
上記第１上流側パイプ８ａの上流端（上端）は、上記貯留容器２５の底面２８部に溶接により結合されている。また、上記第１上流側パイプ８ａの延出端部に対し、上記連結管８ｅが着脱可能に連結されている。上記第２上流側パイプ８ｂは貯留容器２５の他部内部３０に位置している。上記第２上流側パイプ８ｂの下端部は、上記第１上流側パイプ８ａの上端部に着脱可能にねじ止めされ、つまり、上記第２上流側パイプ８ｂは、上記貯留容器２５の底面２８側に着脱可能に取り付けられている。
【００５１】
上記ハウジング本体２１の上記各貫通孔の孔縁部と、上記各連結管６ｄ，８ｅの各外面との間をシールするシール材３４が設けられている。
【００５２】
上記の場合、貯留容器２５、下流側パイプ６ｃ、第１上流側パイプ８ａ、および第２上流側パイプ８ｂが一体的に上記ハウジング２０内に出し入れ可能に収容されている。
【００５３】
上記導入口２７と排出口３１とは上記貯留容器２５内の後端部に配置されている。この貯留容器２５内の後端部に対しその上方から嵌脱可能に嵌入されて上記貯留容器２５の一部内部２６と他部内部３０とを仕切る仕切体３６が設けられている。上記貯留容器２５内の底部側、かつ、上記排出口３１よりも下側で、上記貯留容器２５の一部内部２６と他部内部３０とを互いに連通させる連通路３７が上記仕切体３６に形成されている。
【００５４】
上記処理槽５は除去装置４０を備えている。この除去装置４０は、上記ハウジング２０の上部内にその上端開口を通し出し入れ可能に収容されている。上記除去装置４０は、上記貯留容器２５を介し上記ハウジング２０に支持されている。上記除去装置４０は、上記貯留容器２５の原液２の液面３３に浮いた固形油脂分９を上記貯留容器２５から除去するものである。上記貯留容器２５は、上記固形油脂分９を上記貯留容器２５の前端部である一端部３９に向けて押動すると共に、この貯留容器２５の一端部３９の前方に排出可能とする。
【００５５】
上記除去装置４０は、上記原液２の液面３３の上方近傍を上記貯留容器２５の一端部３９に向かって前、後移動Ａ，Ｂ可能とされる移動体４１と、この移動体４１を移動駆動させる駆動装置４２と、上記移動体４１と共に移動するようこの移動体４１に枢支具４３により枢支される押動体４４と、この押動体４４を所定の回動位置で上記移動体４１に対し解除可能に固定させる固定装置４５とを備えている。
【００５６】
上記駆動装置４２は、上記原液２の液面３３の上方近傍で、この液面３３に沿って前方に延び、上記貯留容器２５の上端部に他の支持具４８により支持されるブラケット４９と、このブラケット４９の前、後端部に支持される一対のプーリ５０と、これら両プーリ５０に巻き掛けられるゴムベルト製の無端帯５１と、この無端帯５１を正、逆回転可能とさせる電動機５２と、複数のローラを有して上記ブラケット４９の長手方向に沿って前、後移動Ａ，Ｂ可能とされる駆動体５３とを備えている。上記ブラケット４９は、上記貯留容器２５の幅方向のほぼ中央に配置されている。また、上記駆動体５３は上記無端帯５１の上部に連動連結され、上記駆動体５３に締結具である固定具５４により上記移動体４１が着脱可能に結合されている。
【００５７】
上記押動体４４は全体として板形状をなしている。この押動体４４は、上記貯留容器２５の幅方向に長く延び、かつ、縦方向に延びている。上記貯留容器２５の幅方向におけるこの貯留容器２５の内幅寸法に上記押動体４４の幅寸法がほぼ合致している。また、上記押動体４４には複数（多数）の通液孔が形成されている。
【００５８】
上記他の支持具４８は、上記ブラケット４９の前後各端部に設けられるフック４８ａを有している。上記貯留容器２５の前、後各上縁部には切り欠き４８ｂが形成されている。これら切り欠き４８ｂに上記各フック４８ａが嵌脱可能に嵌合することにより、上記貯留容器２５に対し上記除去装置４０が位置決めされて、支持される。
【００５９】
上記駆動装置４２が駆動し、移動体４１に伴う押動体４４の前移動Ａ時には、この押動体４４は、その下端部５６を上記原液２の液面３３下に位置させて上記固形油脂分９を押動可能とする第１姿勢（各図中実線図示）をとる。この第１姿勢は上記固定装置４５によって保持される。
【００６０】
一方、上記移動体４１の後移動Ｂ時には、上記押動体４４は、その下端部５６を上記枢支具４３を中心として上記原液２の液面３３上に向かって回動させた第２姿勢（図１，４中４４（Ｃ）（Ｄ）、図６中一点鎖線図示）をとる。この第２姿勢も上記固定装置４５によって保持される。
【００６１】
上記固定装置４５は、上記押動体４４を上記第１姿勢と第２姿勢のうち、いずれか一方の姿勢に弾性的に保持させるばね５７を有している。また、上記押動体４４の第２姿勢を調整可能に定めるボルト式のストッパ５８が上記移動体４１に取り付けられている。
【００６２】
上記貯留容器２５の一端部３９の内面は、前上方に向かって傾斜する傾斜面５９とされている。この傾斜面５９の鉛直方向における中途部に上記原液２の液面３３が位置するよう、上記排出口３１の高さが調整されている。
【００６３】
上記貯留容器２５の一端部３９側において、前移動Ａする上記押動体４４の下端部５６は、上記傾斜面５９に対し圧接しながら、前上方に向かって摺動する（図１，４中４４（Ｅ）図示）。
【００６４】
更に、上記押動体４４が前移動Ａして、その下端部５６が上記傾斜面５９の前端部に達したとき、上記押動体４４の下端部５６の前面はほぼ鉛直方向に延びることとされている（図１，４中４４（Ｃ）図示）。
【００６５】
上記の場合、押動体４４が上記固定装置４５のばね５７により第１姿勢に保持されたままで前移動Ａし、その下端部５６が上記傾斜面５９を摺動するとき、この傾斜面５９からの反力により、上記ばね５７の付勢力に対抗しながら、上記押動体４４は上記第１姿勢から徐々に第２姿勢へと変化するよう後上方に回動させられる。上記押動体４４が更に前移動Ａして、この押動体４４の下端部５６が上記傾斜面５９の前端部に達すると、上記押動体４４は上記ばね５７の付勢力で第２姿勢とさせられ、かつ、この第２姿勢に保持される（図１，４中４４（Ｃ）図示）。
【００６６】
上記押動体４４が後移動Ｂするとき、この押動体４４は上記第２姿勢のままで後移動Ｂする。そして、上記押動体４４が第２姿勢で後移動Ｂして、上記貯留容器２５の他端部（後端部）側に達すると、上記押動体４４が上記仕切体３６に当接する（図１，４中４４（Ｄ）図示）。更に、上記押動体４４が後移動Ｂすると、上記仕切体３６からの反力により、上記押動体４４は上記固定装置４５のばね５７の付勢力に対抗しながら、第２姿勢から第１姿勢に変化するよう回動させられる。そして、上記押動体４４が第１姿勢に近づくと、上記ばね５７の付勢力により、上記押動体４４は第１姿勢とさせられ、この第１姿勢に保持される。
【００６７】
上記貯留容器２５の一端部３９の前側に隣接して、この上記貯留容器２５に支持される排出ダクト６０が設けられている。この排出ダクト６０は、上記ハウジング本体２１の上部内に設けられている。上記排出ダクト６０は、上記貯留容器２５の一端部３９側から後下方に延びている。上記排出ダクト６０の内部は案内空間６１とされている。この案内空間６１は、上記傾斜面５９の前端部から落下する固形油脂分９の一部を下方に向かって自由に通過させ、かつ、上記固形油脂分９の他部を後下方に向かって案内する。
【００６８】
上記貯留容器２５の側面視（図１，４）で、上記傾斜面５９の前端部を通る仮想鉛直線６３から上記排出ダクト６０の各内面が離間させられている。上記排出ダクト６０は、上記貯留容器２５に対し締結具である固定具６４により着脱可能に取り付けられている。具体的には、上記貯留容器２５の前端部には下方に向かって突出する短管６５が形成されている。この短管６５に、その下方から上記排出ダクト６０の上端部が嵌脱可能に外嵌されている。この外嵌状態を保持するよう、上記排出ダクト６０の下端部が上記固定具６４により貯留容器２５の下部に固定されている。
【００６９】
上記排出ダクト６０の下端開口の下方には、上記案内空間６１を落下してきた固形油脂分９を収容する容器６２が設けられている。この容器６２は、上記ハウジング本体２１内の下部に設けられている。上記ハウジング本体２１内の底部に上記容器６２を載置させる台座６６が設けられている。
【００７０】
上記容器６２を左右から挟む上記ハウジング２０のハウジング本体２１の各側壁６９，７０にそれぞれ開口７１が形成されている。これら各開口７１を通し、上記ハウジング本体２１に対し上記容器６２が出し入れ可能とされている。上記各開口７１をそれぞれ開閉可能に閉じる蓋７２が設けられている。この蓋７２は上記開口７１の開口縁部にヒンジ７３により枢支され、片開き構造とされている。上記開口７１の開口縁部と蓋７２の外縁部との間には不図示のシール材が介設されている。
【００７１】
作業者が、上記ハウジング２０の外部から上記各開口７１を通し腕を挿入することにより、上記固定具２４ｃ，６４への締結、弛緩操作が可能とされている。
【００７２】
上記ハウジング２０のハウジング本体２１の各側壁６９，７０にはそれぞれ複数（３つ）の取付孔７９が形成されている。両側壁６９，７０のうち、いずれか一方の側壁６９の各取付孔７９に選択的にスイッチ８０と、第１、第２ランプ８１，８２とが取り付けられている。
【００７３】
上記液体ポンプ４の電動機、除去装置４０における駆動装置４２の電動機５２、スイッチ８０、および第１、第２ランプ８１，８２をそれぞれ電気的に接続させて、これらを電子的に制御する制御装置８４が上記ハウジング２０の内部に設けられている。
【００７４】
上記制御装置８４の制御に基づき、液処理装置１により原液２を処理する作業につき説明する。
【００７５】
まず、上記スイッチ８０のオンにより、液体ポンプ４を駆動させ、貯留槽３の原液２を上記導入パイプ６を通して上記処理槽５の貯留容器２５に導入する。次に、上記除去装置４０における駆動装置４２の電動機５２を正転駆動させて、上記移動体４１と共に押動体４４を第１姿勢で前移動Ａさせる（図１，４中実線）。すると、上記押動体４４の下端部５６側が、貯留容器２５の原液２の液面３３に浮いている固形油脂分９を貯留容器２５の一端部３９側に押動する。
【００７６】
上記押動体４４が更に前移動Ａすると、この押動体４４の下端部５６が上記傾斜面５９に圧接しながら摺動する（図１，４中４４（Ｅ））。すると。上記押動体４４の下端部５６側により、上記貯留容器２５の一端部３９側に押動された固形油脂分９が上記傾斜面５９上を押し上げられる。そして、上記押動体４４の下端部５６が傾斜面５９の上端部に達すると、上記固形油脂分９は貯留容器２５の一端部３９の前側に押し出される。すると、固形油脂分９は上記排出ダクト６０の案内空間６１を通り落下させられて、上記容器６２に収容される。
【００７７】
上記押動体４４の下端部５６が上記傾斜面５９の前端部に達すると、上記押動体４４は第２姿勢にされる（図１，４中４４（Ｃ））。すると、上記電動機５２が逆転駆動し、上記押動体４４は第２姿勢のままで、上記貯留容器２５の他端部にまで後移動Ｂさせられる（図１，４中４４（Ｄ））。更に、上記押動体４４が後移動Ｂすると、この押動体４４が上記仕切体３６に当接することにより、第１姿勢とされる。
【００７８】
以下、上記駆動装置４２の駆動により、上記押動体４４の前、後移動Ａ，Ｂが繰り返されて、上記貯留容器２５の原液２の液面３３に浮いている固形油脂分９が次々と除去処理され、この固形油脂分９が上記容器６２に収容される。
【００７９】
上記貯留容器２５の底部にあって、上記固形油脂分９を含まない原液２は、上記連通路３７を通って上記貯留容器２５の他部内部３０に流入する。次に、この他部内部３０内を原液２が上昇し、この原液２は、処理液７として上記排出口３１を通り戻しパイプ８内に流入する。すると、上記処理液７は、上記戻しパイプ８を通し、上記貯留槽３に戻される。
【００８０】
上記容器６２に対する固形油脂分９の収容量が所定値以上となったとき、上記両蓋７２のうち、いずれか都合のよい方の蓋７２を回動させることにより開口７１を開け、この開口７１を通し容器６２をハウジング２０の外部に取り出す（図３中二点鎖線）。そして、上記容器６２内の固形油脂分９を処理して、空の容器６２を上記開口７１を通し、上記ハウジング２０内に入れて、上記台座６６上に載置すればよい。
【００８１】
上記構成によれば、貯留容器２５と除去装置４０とをそれぞれ出し入れ可能に収容するハウジング２０を設け、このハウジング２０に収容された上記貯留容器２５と除去装置４０とを上記ハウジング２０に支持具２４により着脱可能に支持させている。
【００８２】
このため、上記貯留容器２５や除去装置４０は上記ハウジング２０における縦方向の中途部に溶接されることなく、このハウジング２０に支持される。よって、このハウジング２０の中途部の外面に溶接歪が生じることは防止される。この結果、液処理装置１の見栄えが向上する。
【００８３】
また、上記液処理装置１の組み立て作業をする場合には、まず、上記ハウジング２０の外部の広い作業空間で上記貯留容器２５と除去装置４０とをそれぞれ形成する。次に、これら貯留容器２５と除去装置４０とをそれぞれ上記ハウジング２０に挿入し、上記支持具２４により上記ハウジング２０に支持させればよい。このため、上記ハウジング２０における狭い内部空間で、このハウジング２０の内面に貯留容器２５や除去装置４０を溶接する、という煩雑な作業は不要である。よって、液処理装置１の組み立て作業は容易にできる。
【００８４】
しかも、上記貯留容器２５は、上記した広い作業空間で、この貯留容器２５の外部からの溶接作業により成形することができる。このため、この貯留容器２５には、液洩れなどの不良品の発生が、より確実に防止される。また、上記ハウジング２０と貯留容器２５とを一体的に形成することに比べて上記貯留容器２５は小形にできる。このため、上記貯留容器２５についての液洩れ検査も容易にできる。
【００８５】
更に、上記ハウジング２０に対し貯留容器２５と除去装置４０とを出し入れ可能としたため、上記ハウジング２０からの取り出しにより、上記貯留容器２５や除去装置４０に対する保守点検作業も容易にできる。
【００８６】
また、前記したように、貯留容器２５に対し上記除去装置４０を着脱可能に支持させている。
【００８７】
このため、上記貯留容器２５と除去装置４０に対する保守点検作業時には、これら２５，４０を互いに離脱させた状態ですることができる。よって、上記貯留容器２５と除去装置４０とのうち、いずれか一方の保守点検作業をするとき、他方が邪魔になる、ということは防止されて、上記保守点検作業が容易にできる。
【００８８】
また、前記したように、支持具２４が、上記ハウジング２０に取り付けられて上記貯留容器２５を載置させるブラケット２４ａと、このブラケット２４ａに対し上記貯留容器２５を着脱可能に固定させる固定具２４ｃとを備えている。
【００８９】
このため、液処理装置１の組み立て作業において、上記ハウジング２０に貯留容器２５を組み付ける時には、この貯留容器２５を、まず、上記ハウジング２０に挿入して、上記ブラケット２４ａ上に載置させる。次に、このブラケット２４ａに上記貯留容器２５を固定具２４ｃにより固定させればよい。つまり、上記組み立て作業は、上記ハウジング２０に挿入した貯留容器２５を上記ブラケット２４ａ上に、一旦、仮置きできる。よって、上記貯留容器２５の組み付け作業が容易にでき、その分、液処理装置１の組み立て作業がより容易にできる。
【００９０】
また、前記したように、貯留容器２５に隣接するよう配置され、この貯留容器２５から除去された固形油脂分９を落下させる排出ダクト６０を設け、この排出ダクト６０を上記貯留容器２５に対し着脱可能に取り付けている。
【００９１】
ここで、上記貯留容器２５と排出ダクト６０とは互いに隣接している。このため、これらを一体的に形成しようとすると、これら貯留容器２５と排出ダクト６０との間の狭い作業空間を利用して溶接などの作業をする必要があり、これは煩雑である。
【００９２】
しかし、上記のように構成したため、貯留容器２５と排出ダクト６０とをそれぞれ個別に広い作業空間で形成し、その後、これらを互いに組み付ければよい。よって、液処理装置１の組み立て作業が更に容易にできる。
【００９３】
また、前記したように、排出ダクト６０の下方に上記固形油脂分９を収容する容器６２を設け、上記ハウジング２０の側壁に開口７１を形成し、この開口７１を通し上記ハウジング２０に対し上記容器６２を出し入れ可能とし、上記ハウジング２０の外部から上記開口７１を通し上記固定具２４ｃへの操作を可能としている。
【００９４】
このため、上記ハウジング２０に対し上記固定具２４ｃにより上記貯留容器２５を組み付けたり、離脱させたりする作業は、上記開口７１を利用することによりできる。よって、上記作業のための空間を別途に設けないで足りる分、上記液処理装置１の成形が容易にでき、かつ、液処理装置１をコンパクトに成形できる。
【００９５】
なお、以上は図示の例によるが、駆動装置４２は空気圧などのシリンダであってもよい。また、固定装置４５は空気圧などのシリンダ、ソレノイド、もしくは磁石などを用いてもよい。また、無端帯５１はチェーンであってもよい。
【図面の簡単な説明】
【００９６】
【図１】図３の１−１線矢視断面図である。
【図２】液処理装置の全体側面断面図である。
【図３】蓋体を取り外した処理槽の平面図である。
【図４】図３の４−４線矢視断面図である。
【図５】図３の５−５線矢視図である。
【図６】図１の部分拡大作用説明図である。
【図７】図６の７−７線矢視部分断面図である。
【図８】図１の部分拡大断面図である。
【図９】液処理装置の展開側面図である。
【符号の説明】
【００９７】
１    液処理装置
２    原液
５    処理槽
９    固形油脂分
２０  ハウジング
２１  ハウジング本体
２２  底板
２３  蓋体
２３ａ  取っ手
２４  支持具
２４ａ  ブラケット
２４ｂ  脚部
２４ｃ  固定具
２５  貯留容器
３３  液面
４０  除去装置
４１  移動体
４２  駆動装置
４３  枢支具
４４  押動体
４５  固定装置
４８  支持具
６０  排出ダクト
６２  容器
６４  固定具
６５  短管
６９  側壁
７０  側壁
７１  開口
７２  蓋
７３  ヒンジ
Ａ    前移動
Ｂ    後移動
【図１】
2006144485.tif 000003
【図２】
2006144485.tif 000004
【図３】
2006144485.tif 000005
【図４】
2006144485.tif 000006
【図５】
2006144485.tif 000007
【図６】
2006144485.tif 000008
【図７】
2006144485.tif 000009
【図８】
2006144485.tif 000010
【図９】
2006144485.tif 000011